(57)【要約】【課題】Ｗｅｂサイトのユーザを増やすことを目的とする。【解決手段】紹介者から被紹介者への紹介メールに紹介者の識別情報及びインターネットの場所情報を付加し、インターネットの場所情報にアクセスしてきた被紹介者の装置に対して、紹介者からの紹介を受けるか否かの確認画面を表示させ、確認画面において紹介者からの紹介を受ける旨の操作が行われた場合、インターネットの場所情報にアクセスしてきた被紹介者の装置の装置情報に基づき、装置が認証登録されているか否かを判定し、装置が認証登録されている場合、紹介メールに付加した紹介者の識別情報と、装置情報に基づき特定した被紹介者の識別情報と、に基づいて、紹介者の属性情報と、被紹介者の属性情報と、を互いの装置から参照可能にし、装置が認証登録されていない場合、被紹介者の装置に対して、新規登録画面を表示させることによって課題を解決する。【選択図】図１
2009059198.tif 000002
【特許請求の範囲】
【請求項１】
紹介者から被紹介者への紹介メールに紹介者の識別情報及びインターネットの場所情報を付加し、
前記インターネットの場所情報にアクセスしてきた被紹介者の装置に対して、紹介者からの紹介を受けるか否かの確認画面を表示させ、
前記確認画面において紹介者からの紹介を受ける旨の操作が行われた場合、前記インターネットの場所情報にアクセスしてきた被紹介者の装置の装置情報に基づき、前記装置が認証登録されているか否かを判定し、
前記装置が認証登録されている場合、前記紹介メールに付加した紹介者の識別情報と、前記装置情報に基づき特定した前記被紹介者の識別情報と、に基づいて、紹介者の属性情報と、被紹介者の属性情報と、を互いの装置から参照可能にし、
前記装置が認証登録されていない場合、前記被紹介者の装置に対して、新規登録画面を表示させる
ことを特徴とする情報処理装置。
【請求項２】
前記属性情報とはキャラクターであって、
登録されたユーザの生年月日に基づいて、ユーザのキャラクターを決定することを特徴とする請求項１に記載の情報処理装置。
【請求項３】
キャラクターの情報に基づいて、前記互いの装置から参照可能となった前記キャラクター同士の相性を診断することを特徴とする請求項２に記載の情報処理装置。
【請求項４】
登録されたユーザの生年月日に基づいて、前記ユーザのキャラクターを決定し、
前記決定したキャラクターに応じて、前記ユーザの装置に表示する広告、又は前記ユーザの装置に配信する広告を決定する
ことを特徴とする情報処理装置。
【発明の詳細な説明】
【技術分野】
【０００１】
本発明は、情報処理装置に関する。
【背景技術】
【０００２】
従来、登録したユーザに対して様々なサービスを提供するＷｅｂサイトが存在する。
【０００３】
【特許文献１】特開２００２−５６０８６号公報
【発明の開示】
【発明が解決しようとする課題】
【０００４】
しかしながら、このようなＷｅｂサイトでは、なかなかユーザが増えない問題があった。
【０００５】
本発明はこのような問題点に鑑みなされたもので、Ｗｅｂサイトのユーザを増やすことを目的とする。
【課題を解決するための手段】
【０００６】
そこで、本発明の情報処理装置は、紹介者から被紹介者への紹介メールに紹介者の識別情報及びインターネットの場所情報を付加し、前記インターネットの場所情報にアクセスしてきた被紹介者の装置に対して、紹介者からの紹介を受けるか否かの確認画面を表示させ、前記確認画面において紹介者からの紹介を受ける旨の操作が行われた場合、前記インターネットの場所情報にアクセスしてきた被紹介者の装置の装置情報に基づき、前記装置が認証登録されているか否かを判定し、前記装置が認証登録されている場合、前記紹介メールに付加した紹介者の識別情報と、前記装置情報に基づき特定した前記被紹介者の識別情報と、に基づいて、紹介者の属性情報と、被紹介者の属性情報と、を互いの装置から参照可能にし、前記装置が認証登録されていない場合、前記被紹介者の装置に対して、新規登録画面を表示させることを特徴とする。
【０００７】
係る構成とすることにより、Ｗｅｂサイトに登録済みのユーザ（紹介者）は、属性を参照可能な例えば仲間を増やそうとした場合は、友人等に紹介メールを送る。紹介メールを受け取った被紹介者は、その紹介メールに含まれるインターネットの場所情報にアクセスし、アクセスした結果、表示される画面において、送信してきた紹介者と属性を参照可能な例えば仲間になりたければ紹介を受ける旨の操作を行う。被紹介者が既にＷｅｂサイトに登録済みであれば直ぐにお互いの属性情報が参照可能となり、被紹介者がＷｅｂサイトに登録済みでなければ、表示される新規登録画面で新規登録後、お互いの属性情報が参照可能となる。また、Ｗｅｂサイトに新規登録したユーザが、属性を参照可能な例えば仲間を増やそうとした場合は、上述したように、紹介者として、友人等に紹介メールを送る。よって、Ｗｅｂサイトのユーザを増やすことができる。
【０００８】
なお、インターネットの場所情報とは、例えば後述するＵＲＬ等である。また、確認画面とは、例えば後述する画面４０等のことである。また、属性情報とは、例えば、後述するキャラクターのことである。また、情報処理装置とは、例えば後述するサーバ装置１等のことである。
【０００９】
また、本発明の情報処理装置は、登録されたユーザの生年月日に基づいて、前記ユーザのキャラクターを決定し、前記決定したキャラクターに応じて、前記ユーザの装置に表示する広告、又は前記ユーザの装置に配信する広告を決定することを特徴とする。
【００１０】
係る構成とすることにより、ユーザは、Ｗｅｂサイトに登録すると、生年月日に基づいたキャラクターが割り当てられ、割り当てられたキャラクターに応じた広告をＷｅｂサイトで確認したり、メール等で受け取ったりすることができる。よって、エンタテイメント性があり、面白いため、Ｗｅｂサイトのユーザを増やすことができる。
【発明の効果】
【００１１】
本発明によれば、Ｗｅｂサイトのユーザを増やすことができる。
【発明を実施するための最良の形態】
【００１２】
以下、本発明の実施形態について図面に基づいて説明する。
【００１３】
図１は、システムの一例を示す図である。図１に示されるように、システムは、サーバ装置（コンピュータ）１と、サーバ装置１とネットワーク４等を介して通信可能な複数の携帯電話装置（以下、携帯電話という）と、を含む。なお、図１では、複数の携帯電話の一例として、携帯電話２と、携帯電話３と、を示している。また、以下では、説明の簡略化のため、携帯電話２は、紹介者の携帯電話で、既に本実施形態に係るＷｅｂサイトに認証登録してあり、携帯電話３は、被紹介者の携帯電話であるとする。
【００１４】
図２は、サーバ装置１のハードウェア構成の一例を示す図である。図２に示されるように、サーバ装置１は、ハードウェア構成として、ＣＰＵ１１、ＲＯＭ１２、ＲＡＭ１３、入力装置１４、表示装置１５、通信装置１６、ＨＤＤ１７を有する。
【００１５】
ＣＰＵ１１は、サーバ装置１全体の制御を司る。ＲＯＭ１２は、読み出し専用記憶装置であり、ＣＰＵ１１によって実行される、電源投入時に最初に読み込まれるプログラム等が記憶されている。ＲＡＭ１３は、ＣＰＵ１１がプログラムを実行するためのワークエリアとして使用される。入力装置１４は、各種データ及びコマンドの入力を行う。なお、入力装置１４の一例としては、例えば、マウスやキーボード等である。
【００１６】
表示装置１５は、各種データ等の表示及び入力装置１４の操作に対応するカーソルを表示する。通信装置１６は、外部端末装置（例えば携帯電話２や携帯電話３等）からデータを取得したり、外部端末装置にデータを送信したりする。
【００１７】
ＨＤＤ１７は、コンテンツ等を記憶するエリアとして使用される。また、ＨＤＤ１７には、例えばコンテンツの作成及びテキスト情報の入力等に関するプログラムが記憶されている。
【００１８】
ＣＰＵ１１が、ＨＤＤ１７に記憶されているプログラムをＲＡＭ１３上に読み出して、このプログラムに基づいて、処理を実行することにより、後述するサーバ装置１の機能等を実現する。なお、入力装置１４及び表示装置１５は、サーバ装置１の必須のハードウェア構成ではない。
【００１９】
図３は、サーバ装置１の機能構成の一例を示す図である。図３に示されるように、サーバ装置１は、機能構成としては、画面制御部２１と、キャラクター決定部２２と、ユーザ情報管理部２３と、情報付加部２４と、認証登録判定部２５と、相性診断部２６と、広告決定部２７と、広告制御部２８と、を含む。
【００２０】
画面制御部２１は、後述する図４〜図８に示すような画面を携帯電話に表示するための制御を行う。キャラクター決定部２２は、後述する図６に示されるような画面において入力された生年月日（又は生年月日及び性別）と、生年月日ごと（又は生年月日及び性別ごと）の分類情報と、に基づいて、前記ユーザにキャラクターを割り当てる（又はキャラクターを決定する）。なお、分類情報は、例えばＨＤＤ１７等に予め記憶されているものとする。また、この分類情報は、統計情報に基づき、生年月日（又は生年月日及び性別）ごとに個性を６０に分類したものである。
【００２１】
ユーザ情報管理部２３は、後述する図６に示されるような画面において入力された生年月日（又は生年月日及び性別）と、新規登録画面等において入力されたユーザ情報（例えば名前や、家族の名前、生年月日、性別等）と、キャラクター決定部２２において決定されたキャラクターと、ユーザを識別する識別情報（以下、ユーザ識別情報という）と、携帯電話との通信で取得した携帯電話を一意に識別する装置情報と、を対応付けて、これらの情報を例えばＨＤＤ１７等に格納し、管理する。
【００２２】
ここで、図４は、紹介者側の携帯の画面等の一例を示す図である。
あるユーザ（紹介者）が携帯電話２を操作して、キャラクター同士の診断相手を増やす画面を表示する旨の操作を行った場合、画面制御部２１は、携帯電話２に、図４の３０に示すような画面を表示させる。
【００２３】
紹介者が、携帯電話２を操作して、図４の３０に示すような画面において「メール起動」を押すと、情報付加部２４は、紹介者のユーザ識別情報及び後述する図５に示す画面の表示に関するＵＲＬを、例えば携帯電話２のメールソフトを引数として、メールソフトを起動し、これら紹介者のユーザ識別情報及び前記ＵＲＬを含むメールを携帯電話２に表示させる（図４の３１）。
【００２４】
紹介者は、携帯電話２のメールソフトのアドレス帳の機能等を用いて、診断相手としたい被紹介者のメールアドレスを選択し、メールを送信する。このようなメールを受信した被紹介者は、携帯電話３を用いて、メール内に記載されているＵＲＬを押す。
【００２５】
ここで、図５は、被紹介者側の携帯の画面等の一例を示す図である。
被紹介者は、図４の３１に示されるようなメールを受け取り、携帯電話３を用いてメールの本文等に含まれているＵＲＬを押す。すると、画面制御部２１は、携帯電話３に、図５の４０に示すような画面を表示させる。
【００２６】
ここで、被紹介者が、携帯電話３を操作して、図５の４０に示すような画面において「はい」を押したとする。すると、画面制御部２１を介して、「はい」が選択された旨の情報を受け取った認証登録判定部２５は、携帯電話３との通信等で取得した、携帯電話３を一意に識別する装置情報に基づき、ユーザ情報管理部２３等に問い合わせ、ＨＤＤ１７等において格納し、管理されている情報の中に、前記装置情報が含まれているか否か判定する。つまり、認証登録判定部２５は、携帯電話３が端末として登録されている否か否かを判定する。
【００２７】
認証登録判定部２５は、携帯電話３が端末として登録されていると判定すると、画面制御部２１を介して、携帯電話３に、図５の４１に示すような画面を表示させる。一方、認証登録判定部２５は、携帯電話３が端末として登録されていないと判定すると、画面制御部２１を介して、携帯電話３に、図６の５０に示すような画面を表示させる。
ここで、図６は、新規登録画面の一例を示す図である。被紹介者は、新規登録画面から、Ｗｅｂサイトに新規に登録し、紹介者と診断相手になることができる。
【００２８】
次に、被紹介者が、携帯電話３を操作して、図５の４１に示すような画面において「友達になる」を押したとする。すると、画面制御部２１は、被紹介者が操作する携帯電話３に、紹介者及び紹介者の子供のキャラクターを診断相手として登録することができる、図５の４２に示すような画面を表示させる。なお、画面制御部２１は、紹介者のユーザ識別情報に基づき、ユーザ情報管理部２３を介して、紹介者及び紹介者の子供のキャラクターを取得する。
【００２９】
また、サーバ装置１は、被紹介者が紹介者の誘いに応じて診断相手となった場合、紹介者の携帯電話２に対して、メールを送信し、例えば紹介者がそのメールに含まれているＵＲＬ等を押すと、携帯電話２に、被紹介者及び被紹介者の子供のキャラクターを診断相手として登録することができる、画面を表示させる。なお、画面制御部２１（又はサーバ装置１）は、被紹介者のユーザ識別情報に基づき、ユーザ情報管理部２３を介して、被紹介者及び被紹介者の子供のキャラクターを取得する。
【００３０】
そして、紹介者は、携帯電話２を操作して、自身のキャラクター（図７のＡＡＡ）と、例えば被紹介者のキャラクター（図７のＢＢＢ）と、の相性診断を行なう旨の操作を行うことができる。相性診断部２６は、画面制御部２１を介してキャラクターが選択され、相性診断を行う旨の操作が行われた場合、予め定められた相性診断の情報等に基づいて、キャラクター同士の相性を診断し、診断結果を、画面制御部２１を介して、図７に示されるように要求元の携帯電話に表示させる。図７は、相性診断の診断結果の一例を示す図である。
【００３１】
一方、被紹介者が、携帯電話３を操作して、図５の４０に示すような画面において「いいえ」を押したとする。すると、画面制御部２１は、携帯電話３に、図８の６０に示すような画面を表示させる。ここで、図８は、本実施形態に係るＷｅｂサイトのトップページ（トップ画面）の一例を示す図である。
被紹介者は、図８に示されるようなページから、紹介者と診断相手とはならずに、Ｗｅｂサイトに登録することができる。
【００３２】
再び、図３の説明に戻り、広告決定部２７は、予め定められたルールに基づき、キャラクター決定部２２において決定されたキャラクターに応じて、Ｗｅｂサイトにユーザがログインしているときの画面脇の広告を変えたり（決定したり）、ユーザに送信する広告を変えたり（決定したり）する。
例えば、広告決定部２７は、あるキャラクターのユーザに対しては、横文字が多い広告にしたり、あるキャラクターに対しては、商品の効能や売れ行き等の数字やデータが多い広告にしたり、あるキャラクターに対しては、情に訴えかけるような広告にしたりする。
【００３３】
広告制御部２８は、広告決定部２７が決定した広告を、画面に表示させたり、送信したりする制御を行う。
【００３４】
以上、上述したように、本実施形態によれば、友達から友達へとＷｅｂサイトのユーザを増やすことができる。また、診断相手の属性としても、ユーザのキャラクターしか見せないので、個人の情報は守れる。また、キャラクターごとに（つまり、統計情報に基づく個性ごとに）、広告を配信したり、広告を表示したりするので、広告主にとっても適正な広告をユーザに配信、又は表示することができるメリットがある。
【００３５】
以上、本発明の好ましい実施形態について詳述したが、本発明は係る特定の実施形態に限定されるものではなく、特許請求の範囲に記載された本発明の要旨の範囲内において、種々の変形・変更が可能である。
【図面の簡単な説明】
【００３６】
【図１】システムの一例を示す図である。
【図２】サーバ装置１のハードウェア構成の一例を示す図である。
【図３】サーバ装置１の機能構成の一例を示す図である。
【図４】紹介者側の携帯の画面等の一例を示す図である。
【図５】被紹介者側の携帯の画面等の一例を示す図である。
【図６】新規登録画面の一例を示す図である。
【図７】相性診断の診断結果の一例を示す図である。
【図８】本実施形態に係るＷｅｂサイトのトップページ（トップ画面）の一例を示す図である。
【符号の説明】
【００３７】
１    サーバ装置
２    携帯電話
３    携帯電話
４    ネットワーク
【図１】
2009059198.tif 000003
【図２】
2009059198.tif 000004
【図３】
2009059198.tif 000005
【図４】
2009059198.tif 000006
【図５】
2009059198.tif 000007
【図６】
2009059198.tif 000008
【図７】
2009059198.tif 000009
【図８】
2009059198.tif 000010